(57)【要約】【課題】  内側からの作業だけで構築することができる建築物と建築方法を提供すること。【解決手段】  床用パネルユニットと、上記床用パネルユニットの上側に離間・配置される天井用パネルユニットと、上記床用パネルユニットと上記天井用パネルユニットとの間に連結・配置される複数枚の側壁用パネルユニットと、上記側壁用パネルユニットの上部に内側に向かって開口するように設けられた締結作業用上部開口部と、上記締結作業用上部開口部を介して上記天井用パネルユニットに螺合され上記側壁用パネルユニットを上記天井用パネルユニットに固定する固定ねじと、を具備したことを特徴とするもの。【選択図】  図１
2018178446.tif 000002
【特許請求の範囲】
【請求項１】
床用パネルユニットと、
上記床用パネルユニットの上側に離間・配置される天井用パネルユニットと、
上記床用パネルユニットと上記天井用パネルユニットとの間に連結・配置される複数枚の側壁用パネルユニットと、
上記側壁用パネルユニットの上部に内側に向かって開口するように設けられた締結作業用上部開口部と、
上記締結作業用上部開口部を介して上記天井用パネルユニットに螺合され上記側壁用パネルユニットを上記天井用パネルユニットに固定する固定ねじと、
を具備したことを特徴とする建築物。
【請求項２】
請求項１記載の建築物において、
上記締結作業用上部開口部は上記側壁用パネルユニットの上部に左右１個ずつ設けられていることを特徴とする建築物。
【請求項３】
請求項１又は請求項２記載の建築物において、
上記側壁用パネルユニットの下部には締結作業用下部開口部が設けられていて、
固定ねじを上記締結作業用下部開口部を介して上記床用パネルユニットに螺合させて上記側壁用パネルユニットを上記床用パネルユニットに固定することを特徴とする建築物。
【請求項４】
請求項３記載の建築物において、
上記締結作業用下部開口部は上記側壁用パネルユニットの下部に左右１個ずつ設けられていることを特徴とする建築物。
【請求項５】
請求項３又は請求項４記載の建築物において、
上記締結作業用上部開口部と締結作業用下部開口部にはキャップが着脱可能に取り付けられることを特徴とする建築物。
【請求項６】
床用パネルユニットと、
上記床用パネルユニットの上側に離間・配置される天井用パネルユニットと、
上記床用パネルユニットと上記天井用パネルユニットとの間に連結・配置される複数枚の側壁用パネルユニットと、
を具備した建築物を構築する建築方法において、
上記側壁用パネルユニットの上部に内側に向かって開口する締結作業用上部開口部を設けておき、
内側から上記締結作業用上部開口部を介して固定ねじを差し込んで上記天井用パネルユニットに螺合することにより、上記側壁用パネルユニットを上記天井用パネルユニットに固定するようにしたことを特徴とする建築方法。
【請求項７】
請求項６記載の建築方法において、
上記側壁用パネルユニットの下部に締結作業用下部開口部を設けておき、
内側から上記締結作業用開口部を介して固定ねじを差し込んで上記床用パネルユニットに螺合することにより上記側壁用パネルユニットを上記床用パネルユニットに固定するようにしたことを特徴とする建築方法。
【請求項８】
請求項７記載の建築方法において、
まず、上記床用パネルユニットに上記複数枚の側壁用パネルユニットを固定し、
次いで、上記複数枚の側壁用パネルユニットに上記天井用パネルユニットを固定するようにしたことを特徴とする建築方法。
【発明の詳細な説明】
【技術分野】
【０００１】
本発明は、例えば、ユニットハウス等の建築物と建築方法に係り、特に、内側からの作業だけで構築することができるように工夫したものに関する。
【背景技術】
【０００２】
従来の建築物と建築方法を開示するものとして、例えば、特許文献１、特許文献２がある。
特許文献１に記載されたＦＲＰサンドイッチパネル工法建物では、断熱材から成る芯材の表面にＦＲＰ（Ｆｉｂｅｒ  Ｒｅｉｎｆｏｒｃｅｄ  Ｐｌａｓｔｉｃｓ、ガラス繊維強化プラスチック）を塗布したＦＲＰサンドイッチパネルを接合部材を用いて接合している。
具体的には、隣接するＦＲＰサンドイッチパネルに跨って表側と裏側に接合部材を設置し、これら接合部材を貫通して上記ＦＲＰサンドイッチパネルに釘状の固定具を打ち込み、それによって、上記隣接したＦＲＰサンドイッチパネル同士を接合している。
また、上記接合部材と上記ＦＲＰサンドイッチパネルの固定には接着剤が用いられる場合や、上記釘状の固定具と上記接着剤が併用される場合もある。
【０００３】
上記特許文献１に記載された構成によると、例えば、建物が設置されていて、その隣に別の建物を隙間なく設置することができないという問題があった。これは、隣接するＦＲＰサンドイッチパネルを接合部材を用いて接合する際、外側からの作業が不可欠であり、そのような外側からの作業が建物同士の間に隙間がない場合にはできないからである。
【０００４】
一方、特許文献２に記載された発明によるユニットパネルセット及びユニットパネル工法では、建築物は、略四角形の枠状を成している土台部と、この土台部に立設される複数のユニットパネルと、このユニットパネルの上に設置され天井を構成する天井板と、この天井板の周囲を囲って固定する天井ハチマキとから構成されている。上記ユニットパネルには、略四角形に組み合わせた堅枠と下桟があり、その表面側には表化粧板が貼り付けられていて、裏側には裏化粧板が貼り付けられている。上記表化粧板は上記ユニットパネルの全面を覆っているが、上記裏化粧板は上記ユニットパネルの下端側以外を覆っており、上記ユニットパネルの裏面側であって下端側には上記下桟が露出されている。
上記ユニットパネルと上記土台部とは、ボルトを上記下桟を通して上記土台部に螺合することによって連結・固定されている。また、上記ユニットパネルの上方には複数枚の天井板が設置され、さらに、その外周に天井ハチマキが巻かれることになる。
【０００５】
すなわち、特許文献２に記載された発明によるユニットパネルセット及びユニットパネル工法では、上記建築物の内側から上記裏化粧板に覆われていない部分を介して、上記ユニットパネルの上記土台部への固定作業を行うことができる。
【先行技術文献】
【特許文献】
【０００６】
【特許文献１】特開２０１５−４５１２５号公報
【特許文献２】特開２００８−４５２６８号公報
【発明の概要】
【発明が解決しようとする課題】
【０００７】
しかし、上記従来の構成によると次のような問題があった。
すなわち、特許文献２に記載された発明によるユニットパネルセット及びユニットパネル工法では、上記ユニットパネルの上記土台部への固定作業については内側から行うことができるが、天井板の設置、天上ハチマキの設置作業については外側から行わなければならず、結局、建築物を隣接した状態で設置することができないという問題があった。
【０００８】
本発明はこのような点に基づいてなされたものでその目的とするところは、内側からの作業だけで構築することができる建築物と建築方法を提供することにある。
【課題を解決するための手段】
【０００９】
上記課題を解決するべく本願発明の請求項１による建築物は、床用パネルユニットと、上記床用パネルユニットの上側に離間・配置される天井用パネルユニットと、上記床用パネルユニットと上記天井用パネルユニットとの間に連結・配置される複数枚の側壁用パネルユニットと、上記側壁用パネルユニットの上部に内側に向かって開口するように設けられた締結作業用上部開口部と、上記締結作業用上部開口部を介して上記天井用パネルユニットに螺合され上記側壁用パネルユニットを上記天井用パネルユニットに固定する固定ねじと、を具備したことを特徴とするものである。
また、請求項２による建築物は、請求項１記載の建築物において、上記締結作業用上部開口部は上記側壁用パネルユニットの上部に左右１個ずつ設けられていることを特徴とするものである。
また、請求項３による建築物は、請求項１又は請求項２記載の建築物において、上記側壁用パネルユニットの下部には締結作業用下部開口部が設けられていて、固定ねじを上記締結作業用下部開口部を介して上記床用パネルユニットに螺合させて上記側壁用パネルユニットを上記床用パネルユニットに固定することを特徴とするものである。
また、請求項４による建築物は、請求項３記載の建築物において、上記締結作業用下部開口部は上記側壁用パネルユニットの下部に左右１個ずつ設けられていることを特徴とするものである。
また、請求項５による建築物は、請求項３又は請求項４記載の建築物において、上記締結作業用上部開口部と締結作業用下部開口部にはキャップが着脱可能に取り付けられることを特徴とするものである。
また、請求項６による建築方法は、床用パネルユニットと、上記床用パネルユニットの上側に離間・配置される天井用パネルユニットと、上記床用パネルユニットと上記天井用パネルユニットとの間に連結・配置される複数枚の側壁用パネルユニットと、を具備した建築物を構築する建築方法において、上記側壁用パネルユニットの上部に内側に向かって開口する締結作業用上部開口部を設けておき、内側から上記締結作業用上部開口部を介して固定ねじを差し込んで上記天井用パネルユニットに螺合することにより、上記側壁用パネルユニットを上記天井用パネルユニットに固定するようにしたことを特徴とするものである。
また、請求項７による建築方法は、請求項６記載の建築方法において、上記側壁用パネルユニットの下部に締結作業用下部開口部を設けておき、内側から上記締結作業用開口部を介して固定ねじを差し込んで上記床用パネルユニットに螺合することにより上記側壁用パネルユニットを上記床用パネルユニットに固定するようにしたことを特徴とするものである。
また、請求項８による建築方法は、請求項７記載の建築方法において、まず、上記床用パネルユニットに上記複数枚の側壁用パネルユニットを固定し、次いで、上記複数枚の側壁用パネルユニットに上記天井用パネルユニットを固定するようにしたことを特徴とするものである。
【発明の効果】
【００１０】
以上述べたように、本願発明の請求項１記載の建築物によると、床用パネルユニットと、上記床用パネルユニットの上側に離間・配置される天井用パネルユニットと、上記床用パネルユニットと上記天井用パネルユニットとの間に連結・配置される複数枚の側壁用パネルユニットと、上記側壁用パネルユニットの上部に内側に向かって開口するように設けられた締結作業用上部開口部と、上記締結作業用上部開口部を介して上記天井用パネルユニットに螺合され上記側壁用パネルユニットを上記天井用パネルユニットに固定する固定ねじと、を具備したため、内側からの作業だけで構築することができる。
また、請求項２記載の建築物によると、請求項１記載の建築物において、上記締結作業用上部開口部は上記側壁用パネルユニットの上部に左右１個ずつ設けられているため、上記締結作業用上部開口部を最小限の大きさとすることができ、これにより上記パネルの強度を確保することができる。
また、請求項３記載の建築物によると、請求項１又は請求項２記載の建築物において、上記側壁用パネルユニットの下部には締結作業用下部開口部が設けられていて、固定ねじを上記締結作業用下部開口部を介して上記床用パネルユニットに螺合させて上記側壁用パネルユニットを上記床用パネルユニットに固定するため、内側からの作業だけで構築することができる。
また、請求項４記載の建築物によると、請求項３記載の建築物において、上記締結作業用下部開口部は上記側壁用パネルユニットの下部に左右１個ずつ設けられているため、上記締結作業用下部開口部を最小限の大きさとすることができ、これにより上記パネルの強度を確保することができる。
また、請求項５による建築物は、請求項３又は請求項４記載の建築物において、上記締結作業用上部開口部と締結作業用下部開口部にはキャップが着脱可能に取り付けられるため、簡易な構成により上記締結作業用上部開口部と締結作業用下部開口部を閉塞することができとともに美観を向上させることができる。
また、請求項６による建築方法は、床用パネルユニットと、上記床用パネルユニットの上側に離間・配置される天井用パネルユニットと、上記床用パネルユニットと上記天井用パネルユニットとの間に連結・配置される複数枚の側壁用パネルユニットと、を具備した建築物を構築する建築方法において、上記側壁用パネルユニットの上部に内側に向かって開口する締結作業用上部開口部を設けておき、内側から上記締結作業用上部開口部を介して固定ねじを差し込んで上記天井用パネルユニットに螺合することにより、上記側壁用パネルユニットを上記天井用パネルユニットに固定するようにしたため、内側からの作業だけで構築することができる。
また、請求項７による建築方法は、請求項６記載の建築方法において、上記側壁用パネルユニットの下部に締結作業用下部開口部を設けておき、内側から上記締結作業用開口部を介して固定ねじを差し込んで上記床用パネルユニットに螺合することにより上記側壁用パネルユニットを上記床用パネルユニットに固定するようにしたため、内側からの作業だけで構築することができる。
また、請求項８による建築方法は、請求項７記載の建築方法において、まず、上記床用パネルユニットに上記複数枚の側壁用パネルユニットを固定し、次いで、上記複数枚の側壁用パネルユニットに上記天井用パネルユニットを固定するようにしたため、内側からの作業だけで構築することができる。
【図面の簡単な説明】
【００１１】
【図１】本発明の一実施の形態を示す図で、ユニットハウスの斜視図である。
【図２】本発明の一実施の形態を示す図で、図１のＩＩ−ＩＩ断面図である。
【図３】本発明の一実施の形態を示す図で、床パネルユニットの土台の斜視図である。
【図４】本発明の一実施の形態を示す図で、図２のＩＶ部の拡大図である。
【図５】本発明の一実施の形態を示す図で、床パネルユニットの床板の斜視図である。
【図６】本発明の一実施の形態を示す図で、天井用パネルユニットの天井用枠体の斜視図である。
【図７】本発明の一実施の形態を示す図で、図２のＶＩＩ部の拡大図である。
【図８】本発明の一実施の形態を示す図で、開口部枠体の斜視図である。
【図９】本発明の一実施の形態を示す図で、側壁用パネルユニットの斜視図である。
【図１０】本発明の一実施の形態を示す図で、側壁用パネルユニットの斜視図である。
【図１１】本発明の一実施の形態を示す図で、図１のＸＩ−ＸＩ断面図である。
【図１２】本発明の一実施の形態を示す図で、図１２（ａ）は図１１のＸＩＩａ部分の拡大図、図１２（ｂ）は図１１のＸＩＩｂ部分の拡大図である。
【発明を実施するための形態】
【００１２】
以下、図１乃至図１２を参照して本発明の一実施の形態を説明する。
例えば、図１、図２に示すように、この一実施の形態による建築物としてのユニットハウス１は、床用パネルユニット６と、天井用パネルユニット７と、開口部枠体９、９と、側壁用パネルユニット１１、１１、１１、１１、及び、側壁用パネルユニット１３、１３、１３、１３、１３、１３と、から構成されている。
上記床用パネルユニット６は土台３と床板５とから構成されている。上記土台３上に上記側壁用パネルユニット１１、１３と開口部枠体９が立設され、上記側壁用パネルユニット１１、１３と上記開口部枠体９の上に上記天井用パネルユニット７が設置されている。
【００１３】
図３に示すように、上記土台３は、長尺の土台外側フレーム１５、１５と短尺の土台外側フレーム１７、１７とを略長方形状に組み合わせ、その内側の上記土台外側フレーム１５、１５間に土台内側フレーム１９、１９を設置した構成となっている。上記土台外側フレーム１５と上記土台外側フレーム１７は、図４に示すように、連結用金具２１を介して連結されている。すなわち、上記土台３の内側に上記土台外側フレーム１５と上記土台外側フレーム１７に当接するように上記連結用金具２１を設置し、ボルト２３、２３を上記連結用金具２１と上記土台外側フレーム１５を貫通させて図示しないナットに螺合させ、ボルト２５、２５を上記連結用金具２１と上記土台外側フレーム１７を貫通させてナット２７、２７に螺合させることで、上記土台外側フレーム１５と上記土台外側フレーム１７が連結・固定されている。
なお、図４は四隅の一角を示しているが残りの３箇所も同様である。
また、土台外側フレーム１５と土台内側フレーム１９も同様にして連結・固定されている。
【００１４】
また、図４及び図５に示すように、上記床板５は、長尺の床フレーム３１、３１（一方の床フレーム３１は図示せず）と短尺の床フレーム３３、３３を略長方形状に組み合わせて床用枠体３５とし、この床用枠体３５の内側に耐火・耐熱性能を備えた材料（例えば、発泡ポリスチレン）から成る床用芯材３７を設置し、上記床用枠体３５と上記床用芯材３７の上に床材３９を設置したものである。
図４に示すように、上記床フレーム３３にはＴ型溝４１が形成されていて、このＴ型溝４１内にはＴ型ナット４３が挿入されている。また、上記床フレーム３１にも同様に図示しないＴ型溝が形成されていて、この図示しないＴ型溝内に図示しないＴ型ナットが挿入されている。上記床板５は、ボルト４５を上記土台３の土台外側フレーム１７を通して上記Ｔ型ナット４３に螺合するとともに、図示しないボルトを上記土台３の土台外側フレーム１５を通して上記図示しないＴ型ナットに螺合することにより、上記土台３に固定され、それによって、上記床用パネルユニット６が構成されている。
【００１５】
また、図６に示すように、上記天井用パネルユニット７は、長尺の天井フレーム５１、５１と短尺の天井フレーム５３、５３を略長方形状に組み合わせた天井用枠体５５と、この天井用枠体５５に設置された図示しない天井板と、から構成されている。
図６、図７に示すように、上記天井フレーム５１の内側面には、Ｔ型溝５７、５７、５７が形成されている。また、上記天井フレーム５３の内側面には、Ｔ型溝５９、５９、５９が形成されている。また、上記天井フレーム５１の外側面には、Ｔ型溝６１、６１が形成されている。上記天井フレーム５３の外側面には、Ｔ型溝６３、６３が形成されている。隣接する上記天井フレーム５１、５３の内側には固定用金具６１が当接するように設置されている。
【００１６】
上記天井フレーム５１、５３は、ボルト６７、６７、６７を上記固定用金具６１を通して、上記天井フレーム５１の上記Ｔ型溝５７、５７、５７内に挿入された図示しないＴ型ナットに螺合するとともに、ボルト６９、６９、６９を上記固定金具６１を通して、上記天井フレーム５３の上記Ｔ型溝５９、５９、５９内に挿入されたＴ型ナット６５、６５、６５に螺合することにより固定されている。
【００１７】
また、上記天井用枠体３５の外側の角部には、端部カバ７１、７１、７１、７１が設置されていて、これら端部カバ７１、７１、７１、７１によって上記天井フレーム５３、５３の端部を閉塞している。
上記端部カバ７１は、ネジ７３を上記端部カバ４９に貫通させ、上記天井フレーム５１のＴ型溝６１、６１に挿入された図示しないＴ型ナットに螺合させるとともに、ネジ７５を上記端部カバ７１に貫通させ、上記天井フレーム５３のＴ型溝６３、６３に挿入されたＴ型ナット７７、７７に螺合させることで固定されている。
【００１８】
上記開口部枠体９は、図８に示すように、開口部フレーム８１、８１、８３、８３を略長方形状に組み合わせたものである。
【００１９】
上記側壁用パネルユニット１１には、図４、図７、図９、図１０、及び、図１１に示すように、パネル用枠体９１がある。このパネル用枠体９１は、パネル用枠材９３、９３、９５、９５を略長方形状に組み合わせて構成されている。このパネル用枠体９１の内側には耐火・耐熱性能を備えた材料（例えば、発泡ポリスチレン）から成る芯材９７が設置されている。また、上記パネル用枠体９１と芯材９７の上記ユニットハウス１の外側には耐火・耐熱性能を備えた材料（例えば、発泡ポリスチレン）から成る板材９９が設置されていて、上記パネル用枠体９１と芯材９７の上記ユニットハウス１の内側には耐火・耐熱性能を備えた材料（例えば、発泡ポリスチレン）から成る板材１０１が設置されている。また、上記板材９９の表面側（上記ユニットハウス１の外側）には表面材１０３が設置されており、上記板材１０１の表面側（上記ユニットハウス１の内側）には表面材１０５が設置されている。
【００２０】
また、例えば、図４、図７、図９に示すように、上記側壁用パネルユニット１１には、上記ユニットハウス１の内側に開口された締結作業用上部開口部１０７、１０７と締結作業用下部開口部１０７′、１０７′が設けられている。上記締結作業用上部開口部１０７と締結作業用下部開口部１０７′は、上記表面材１０５、上記板材１０１、上記芯材９７まで貫通した状態で形成されていて、上記板材９９、上記表面材１０３はそのままの状態で残されており、ユニットハウス１の内側にのみ開口した状態で設けられている。
なお、図中表面材１０５の貫通孔を符号１１３、板材１０１の貫通孔を符号１１１、芯材９７の貫通孔を符号１０９で示す。
【００２１】
上記側壁用パネルユニット１３も、上記側壁用パネルユニット１１と略同様の構成となっており、唯一、上記側壁用パネルユニット１３の幅（図１０中左右方向の大きさ）が上記側壁用パネルユニット１１の幅（図９中左右方向の大きさ）よりも小さく設定されている点が異なる。
【００２２】
上記側壁用パネルユニット１３、１３同士を並べて同一面上に連結させる部分は、図１２（ａ）に示すような構成となっている。すなわち、一方の側壁用パネルユニット１３のパネル用枠材９５に形成された連結用溝１１５と他方の側壁用パネルユニット１３のパネル用枠材９５に形成された連結用溝１１５に、連結部材１１７が係合されている。また、図１２（ａ）に示すように、上記連結部材１１７は、上記側壁用パネルユニット１３、１３同士を連結すると共に、上記側壁用パネルユニット１３、１３間の隙間を上記ユニットハウス１の外側（図１２（ａ）中下側）から閉塞している。
【００２３】
また、図１２（ａ）に示すように、上記連結部材１１７と一方の側壁用パネルユニット１３のパネル用枠材９５と他方の側壁用パネルユニット１３のパネル用枠材９５の間には、ガスケット１１９が設置されている。このガスケット１１９は、耐火・断熱性能を備えた略直角三角形状の断面形状を成す長尺の部材で、本実施の形態の場合には、スポンジ状のクロロプレンゴム製である。また、上記一方の側壁用パネルユニット１３のパネル用枠材９５と他方の側壁用パネルユニット１３のパネル用枠材９５の間であって、上記ガスケット１１９の内側（図１２（ａ）中上側）には、ガスケット１２１、１２１が設置されている。これらガスケット１２１、１２１は断熱性能を備えていて、本実施の形態の場合には、スポンジ状のＥＰＤＭ（Ｅｔｈｙｌｅｎｅ  Ｐｒｏｐｙｌｅｎｅ  Ｄｉｅｎｅ、エチレン  プロピレン  ジエン）発砲ゴム製である。
【００２４】
また、上記ユニットハウス１の内側（図１２（ａ）中上側）の上記一方の側壁用パネルユニット１３と他方の側壁用パネルユニット１３の間には、塞ぎ部材１２３が設置されている。この塞ぎ部材１２３の両端には上記側壁用パネルユニット１３、１３の端部に係合される係合部１２５、１２５が形成されている。また、上記一方の側壁用パネルユニット１３のパネル用枠材９５と他方の側壁用パネルユニット１３のパネル用枠材９５の間に係合された塞ぎ部材固定板１２７があり、塞ぎ部材固定板１２５と上記塞ぎ部材１２３の間にはスペーサ１２９が介挿されている。上記塞ぎ部材１２３は、ボルト１３１を上記塞ぎ部材１２３と上記スペーサ１２９を貫通させて上記塞ぎ部材固定板１２７に螺合させ、上記塞ぎ部材１２３の係合部１２５、１２５と上記塞ぎ部材固定板１２５によって上記側壁用パネルユニット１３、１３を挟み込むように固定されている。
なお、側壁用パネルユニット１１、１３を並べて同一面上に連結する箇所も、同様の構成となっている。
【００２５】
また、上記側壁用パネルユニット１３、１３同士を直交させて連結させる部分は、図１２（ｂ）に示すような構成となっている。すなわち、互いに直交させた状態で配置された上記側壁用パネルユニット１３、１３間に角部材１４１が設置されている。この角部材１４１の両端側には連結用溝１４３、１４３が形成されている。一方の側壁用パネルユニット１３のパネル用枠材９５に形成された連結用溝１１５と上記角部材１４１の一方の連結用溝１４３には連結部材１４５が係合されていて、他方の側壁用パネルユニット１３のパネル用枠材９５に形成された連結用溝１１５と上記角部材１４１の他方の連結用溝１４３にも連結部材１４７が係合されている。上記連結部材１４５、１４７は、上記連結部材１１７と同様の構成の部材である。
【００２６】
また、図１２（ｂ）に示すように、上記連結部材１４５と一方の側壁用パネルユニット１３のパネル用枠材９５と上記角部材１４１の間には、ガスケット１４９が設置されている。また、上記連結部材１４７と他方の側壁用パネルユニット１３のパネル用枠材９５と上記角部材１４１の間には、ガスケット１５１が設置されている。
また、上記一方の側壁用パネルユニット１３のパネル用枠材９５と上記角部材１４１の間であって、上記ガスケット１４９の内側（図１２（ｂ）中右側）には、ガスケット１５３、１５３が設置されている。また、上記他方の側壁用パネルユニット１３のパネル用枠材９５と上記角部材１４１の間であって、上記ガスケット１５１の内側（図１２（ｂ）中上側）にも、ガスケット１５５、１５５が設置されている。これらガスケット１４９、１５１、１５３、１５５も、上記ガスケット１１９と同様の材質であり、耐火・耐熱性能を備えている。
【００２７】
また、上記ユニットハウス１の内側（図１２（ｂ）中右上側）であって上記一方の側壁用パネルユニット１３と他方の側壁用パネルユニット１３の間には、塞ぎ部材１５７が設置されている。この塞ぎ部材１５７の両端には上記側壁用パネルユニット１３、１３の端部に係合される係合部１５９、１５９が形成されている。また、上記一方の側壁用パネルユニット１３のパネル用枠材９５と上記角部材１４１の間に係合された塞ぎ部材固定板１６１があり、塞ぎ部材固定板１６１と上記塞ぎ部材１５７の間にはスペーサ１６３が介挿されている。また、同様に、上記他方の側壁用パネルユニット１３のパネル用枠材９５と上記角部材１４１の間に係合された塞ぎ部材固定板１６５があり、塞ぎ部材固定板１６５と上記塞ぎ部材１５７の間にはスペーサ１６７が介挿されている。上記塞ぎ部材１５７は、ボルト１６９を上記塞ぎ部材１５７と上記スペーサ１６３を貫通させて上記塞ぎ部材固定板１６１に螺合させるとともに、ボルト１７１を上記塞ぎ部材１５７と上記スペーサ１６７を貫通させて上記塞ぎ部材固定板１６５に螺合させ、上記塞ぎ部材１５７の係合部１５９、１５９と上記塞ぎ部材固定板１６１、１６５によって上記側壁用パネルユニット１３、１３を挟み込むように固定されている。
なお、側壁用パネルユニット１１、１３を直交させて連結する箇所も、同様の構成となっている。
【００２８】
また、上記開口部枠体９の開口部フレーム８３は、上記パネル用枠材９５と同様の構成となっている。すなわち、上記開口部枠体９は、上記側壁用パネルユニット１３同士の連結部や上記側壁用パネルユニット１３と上記角部材１４１の連結部と同様の構成により設置・固定されている。
【００２９】
また、図４に示すように、上記側壁用パネルユニット１１と上記床用パネルユニット６とは、固定ネジ１８１によって連結・固定されている。すなわち、上記土台３の土台外側フレーム１５、１７に雌ねじ部１８２が形成されており、上記固定ネジ１８１を上記側壁用パネルユニット１１のパネル用枠材９３を貫通させ、上記雌ねじ部１８２に螺合させることで、上記側壁用パネルユニット１１と上記床用パネルユニット６が連結・固定される。上記固定ネジ１８１は、床側（図４中下側）の締結作業用下部開口部１０７′内に収容・配置されている。また、上記固定ネジ１８１の締結作業もこの締結作業用下部開口部１０７′を介して行われる。
また、図７に示すように、上記側壁用パネルユニット１１と天井用パネルユニット７とは、固定ネジ１８３によって連結・固定されている。すなわち、上記天井用パネルユニット７の天井フレーム５１、５３に雌ねじ部１８４（天井フレーム５３の被螺合部１８４のみ図示されている）が形成されており、上記固定ネジ１８３を上記側壁用パネルユニット１１のパネル用枠材９３を貫通させ、上記雌ねじ部１８４に螺合させることで、上記側壁用パネルユニット１１と上記天井用パネルユニット７が連結・固定される。上記固定ネジ１８３は、天井側（図７中上側）の締結作業用上部開口部１０７内に収容・配置されている。また、上記固定ネジ１８３の締結作業もこの締結作業用上部開口部１０７を介して行われる。
なお、側壁用パネルユニット１３と上記床用パネルユニット６や天井用パネルユニット７との連結部も同様の構成である。
また、図４、図７に示すように、上記締結作業用上部開口部１０７と上記締結作業用下部開口部１０７′の開口部側にはキャップ１８５が着脱可能に設置されている。このキャップ１８５によって、上記締結作業用上部開口部１０７と上記締結作業用下部開口部１０７′が閉塞されている。
【００３０】
次に、この一実施の形態による作用について説明する。
ユニットハウス１の組み立ては次のようにして行われる。
まず、床用パネルユニット６を設置し、上記床用パネルユニット６の外周部に側壁用パネルユニット１１、１３を立設する。上記側壁用パネルユニット１１、１３の上記床用パネルユニット６に対する固定は、前記したように固定ネジ１８１によってなされるが、この固定ネジ１８１の締結作業は、上記側壁用パネルユニット１１、１３の締結作業用下部開口部１０７′内を介して、ユニットハウス１の内側から行われる。
次に、側壁用パネルユニット１３、１３同士、及び、側壁用パネルユニット１１、１３の連結・固定を行う。すなわち、連結部材１１７やガスケット１１９、１２１、１２１、塞ぎ部材固定板１２７を上側から挿入し、上記ユニットハウス１の内側から塞ぎ部材１２３の固定作業を行う。
次に、角部材１４１を所定の場所に設置する。上記角部材１４１は、側壁用パネルユニット１１や側壁用パネルユニット１３に連結・固定される。上記角部材１４１と側壁用パネルユニット１１等との連結作業も、上記側壁用パネルユニット１３、１３同士の連結作業と同様にして行われる。
次に、開口部枠体９を所定の場所に取り付ける。上記開口部枠体９は、上記角部材１４１と側壁用パネルユニット１３に連結・固定される。上記開口部枠体９と側壁用パネルユニット１３等との連結作業も、上記側壁用パネルユニット１３、１３同士の連結作業と同様にして行われる。
次に、上記側壁用パネルユニット１１、１３に天井用パネルユニット７を設置する。上記天井用パネルユニット７と側壁用パネルユニット１１、１３の固定は、前記したように固定ネジ１８３によってなされるが、この固定ネジ１８３の締結作業も、上記側壁用パネルユニット１１、１３の締結作業用上部開口部１０７内を介して、上記ユニットハウス１の内側から行われる。
【００３１】
次に、この一実施の形態による効果について説明する。
側壁用パネルユニット１１、１３には、締結作業用上部開口部１０７や締結作業用下部開口部１０７′が設けられているので、上記締結作業用上部開口部１０７や締結作業用下部開口部１０７′を介して、側壁用パネルユニット１１、１３と床用パネルユニット６や天井用パネルユニット７との連結作業をユニットハウス１の内側から行うことができる。これにより、ユニットハウス１を複数設置する場合であって、上記ユニットハウス１間の隙間が無く、外側に作業用のスペースを確保できない場合であっても、ユニットハウス１を設置することができる。
また、上記締結作業用上部開口部１０７は上記側壁用パネルユニット１１、１３の天井用パネルユニット７側にそれぞれ２個ずつ設けられており、上記締結作業用下部開口部１０７′は上記側壁用パネルユニット１１、１３の床用パネルユニット６側にそれぞれ２個ずつ設けられているので、上記締結作業用上部開口部１０７や締結作業用下部開口部１０７′を必要最小限の大きさとすることができ、芯材９７や板材１０１に対する加工を最小限に抑えて上記側壁用パネルユニット１１、１３の強度を確保することができる。
また、側壁用パネルユニット１１、１３は床用パネルユニット６と天井用パネルユニット７のそれぞれに２箇所ずつで固定されるので、上記ユニットハウス１を強固なものとすることができる。
また、上記締結作業用上部開口部１０７や締結作業用下部開口部１０７′にはキャップ１８５が着脱可能に設置されているため、締結作業終了後、簡易な構成により上記締結作業用上部開口部１０７や締結作業用下部開口部１０７′を閉塞することができるとともに、美観の向上を図ることができる。
【００３２】
なお、本発明は前記一実施の形態に限定されるものではない。
まず、締結作業用上部開口部、締結作業用下部開口部の大きさ、数、位置、等についてはこれを特に限定するものではない。
また、前記一実施の形態では、締結作業用上部開口部、締結作業用下部開口部の両方を設けた構成を例に挙げて説明したが、締結作業用上部開口部のみを設ける構成も考えられる。この場合には、下部の締結については別の工夫によりユニットハウスの内側から行うことになる。
また、ユニットハウスを構成する側壁用パネルユニットの数や開口部枠体の数、開口部枠体の位置等には様々な場合が考えられる。締結作業用開口部の大きさ、数、位置も様々な場合が考えられる。
また、前記一実施の形態の場合には、建築物の例としてユニットハウスを挙げて説明したが、それに限定されるものではなく、様々な建築物に適用可能である。
その他、各部の構成は図示したものに限定されない。
【産業上の利用可能性】
【００３３】
本発明は、例えば、ユニットハウス等の建築物と建築方法に係り、特に、内側からの作業だけで構築することができるように工夫したものに関し、例えば、住宅に好適である。
【符号の説明】
【００３４】
１  ユニットハウス（建築物）
６  床用パネルユニット
７  天井用パネルユニット
１１  側壁用パネルユニット
１３  側壁用パネルユニット
１０７  締結作業用上部開口部
１０７′  締結作業用下部開口部
１８１  固定ネジ
１８３  固定ネジ
１８５  キャップ
【図１】
2018178446.tif 000003
【図２】
2018178446.tif 000004
【図３】
2018178446.tif 000005
【図４】
2018178446.tif 000006
【図５】
2018178446.tif 000007
【図６】
2018178446.tif 000008
【図７】
2018178446.tif 000009
【図８】
2018178446.tif 000010
【図９】
2018178446.tif 000011
【図１０】
2018178446.tif 000012
【図１１】
2018178446.tif 000013
【図１２】
2018178446.tif 000014